(57)【特許請求の範囲】
【請求項１】
基板とこの基板に対し垂直に配置されたプッシュスイッチを収納した筐体、この筐体の外側に上記基板に対し垂直に取り付けられ透孔を有するフロントパネル、このフロントパネルと上記筐体との間に上記フロントパネルと略平行に設けられて一端に上記筐体の透孔に挿通されたボタン部を有し他端にヒンジ部を有する支持部と、この支持部から上記プッシュスイッチ上へ延出して上記プッシュスイッチを駆動する操作部と、上記ヒンジ部に連設され上記フロントパネルへ固定される固定部を有する押しボタンを備えた押しボタン装置において、上記筐体と支持部との間および上記フロントパネルと支持部との間に、上記支持部を支持して中立位置に保持する一対の弾性手段をそれぞれ設けたことを特徴とする押しボタン装置。
【請求項２】
一対の弾性手段をそれぞれ板バネで構成したことを特徴とする請求項１記載の押しボタン装置。
【請求項３】
一対の弾性手段を筐体および押しボタンにそれぞれ一体成形した弾性片で構成したことを特徴とする請求項１記載の押しボタン装置。
【請求項４】
一対の弾性手段を押しボタンに一体成形した弾性片で構成したことを特徴とする請求項１記載の押しボタン装置。
【請求項５】
一対の弾性手段の一方をフロントパネルに、他方を筺体およびフロントパネルのいずれか一方にそれぞれ一体成形した弾性片で構成したことを特徴とする請求項１記載の押しボタン装置。
【発明の詳細な説明】
【０００１】
【発明の属する技術分野】
この発明は、磁気記録再生装置等の電子機器のプッシュスイッチを操作する押しボタン装置に関するものである。
【０００２】
【従来の技術】
図４は従来の押しボタン装置の構成を示す側断面図、図５は従来の押しボタン装置を有したフロントパネルの組立状態を示す側断面図である。図において、１はフロントパネルで、下端の近傍に軸を有するボス１ａと、このボス１ａから所定距離離れて設けられた複数の透孔１ｂとを有している。２は複数の透孔１ｂにそれぞれ対応して設けられた押しボタンで、フロントパネル１の透孔１ｂに挿通されて突出し前面に意匠部を有するボタン部２ａと、このボタン部２ａを上端近傍に有しフロントパネル１と略平行な支持部２ｂと、この支持部２ｂの下端に連設されヒンジとして機能する薄肉部２ｃと、この薄肉部２ｃの下端に連設され穴部を有するボス２ｄと、ボタン部２ａから所定距離離れた支持部２ｂの下端でボタン部２ａが設けられた面とは反対側の面から垂直に延出して形成された操作部２ｅとを一体成形して構成され、フロントパネル１のボス１ａの軸にボス２ｄの穴部を圧入することにより、フロントパネル１に取り付けられている。３は押しボタン２を有するフロントパネル１が取り付けられる筐体、４は筐体３に収納して取り付けられた基板、５は基板４に垂直に実装され、押しボタン２で操作されるプッシュスイッチである。
【０００３】
次に動作について説明する。押しボタン２のボタン部２ａを押すと、薄肉部２ｃが変形することにより操作部２ｅが一点鎖線Ｂで示すように変位して下がり、プッシュスイッチ５を押して操作する。ボタン部２ａから手を離すと、薄肉部２ｃの働きにより押しボタン２は元の位置に復帰する。
【０００４】
また、このように構成された押しボタン装置を有するフロントパネル１の筺体３への組立は、図５に示すように押しボタン２を有するフロントパネル１を図中の矢印方向に移動させることにより行われる。この際、押しボタン２の操作部２ｅが筐体３に取り付けられた基板４に実装されたスイッチ５に当たっても、押しボタン２のヒンジとして機能する薄肉部２ｃにより、図４に示したフロントパネル１と押しボタン２の支持部２ｂとの隙間Ｓ分だけ操作部２ｅが上方に変位しながら筐体３に組み込まれるため、組立時に操作部２ｅがプッシュスイッチ５を破壊することを防止できる。組立後は、押しボタン２のヒンジとして機能する薄肉部２ｃの働きにより、図４の元の状態に復帰する。
【０００５】
【発明が解決しようとする課題】
以上のような従来の押しボタン装置においては、押しボタン２のヒンジとして機能する薄肉部２ｃが、操作の繰り返しによって塑性変形することがある。また、押しボタン２を一体成形した際に、ヒンジとして機能する薄肉部２ｃが反り等の変形をして、一様ではないものが混在することがある。そのため、押しボタン２が図４の破線Ａおよび一点鎖線Ｂで示すような状態になって、押しボタン２の意匠部を有するボタン部２ａがフロントパネル１の前面から規定値以上に大きく飛び出したり、沈みこんでしまうことになり、押しボタン２の操作性が悪くなることがあった。また、このような押しボタン装置は複数個並置されるのが普通であるので、フロントパネル１の透孔１ｂからのボタン部２ａの突出量が不揃いとなると、機器の意匠価値を損なうという問題点があった。
【０００６】
この発明は、上記のような問題点を解消するためになされたもので、押しボタンの突出量を一定に保ち、操作性や意匠価値を損なわない押しボタン装置を得ることを目的とする。
【０００７】
【課題を解決するための手段】
この発明に係る押しボタン装置は、基板とこの基板に対し垂直に配置されたプッシュスイッチを収納した筐体およびこの筐体の外側に基板に対し垂直に取り付けられ透孔を有するフロントパネルと、このフロントパネルと筐体との間にフロントパネルと略平行に設けられて一端に筐体の透孔に挿通されたボタン部を有し他端にヒンジ部を有する支持部との間に、支持部を支持して中立位置に保持する一対の弾性手段をそれぞれ設けたものである。
【０００８】
また、一対の弾性手段をそれぞれ板バネで構成したものである。
さらに、一対の弾性手段を筺体および押しボタンにそれぞれ一体成形した弾性片で構成したものである。
【０００９】
また、一対の弾性手段を押しボタンに一体成形した弾性片で構成したものである。
さらにまた、一対の弾性手段の一方をフロントパネルに、他方を筺体および支持部のいずれか一方にそれぞれ一体成形した弾性片で構成したものである。
【００１０】
【発明の実施の形態】
以下、この発明をその実施の形態を示す図面に基づいて具体的に説明する。なお、図において、同一符号は従来のものと同一または相当のものを示す。
【００１１】
実施の形態１．
図１はこの発明の実施の形態１である押しボタン装置を示す側断面図である。図において、１はフロントパネルで、下端の近傍に軸を有するボス１ａと、このボス１ａから所定距離離れて設けられた複数の透孔１ｂとを有している。２は押しボタンで、フロントパネル１の透孔１ｂに挿通されて突出し前面に意匠部を有するボタン部２ａと、このボタン部２ａを上端近傍に有しフロントパネル１と略平行な支持部２ｂと、この支持部２ｂの下端に連設されヒンジとして機能する薄肉部２ｃと、この薄肉部２ｃの下端に連設され穴部を有するボス２ｄと、ボタン部２ａから所定距離離れた支持部２ｂの下端でボタン部２ａが設けられた面とは反対側の面から垂直に延出して形成された操作部２ｅとを一体成形して構成され、フロントパネル１のボス１ａの軸にボス２ｄの穴部を圧入することにより、フロントパネル１に取り付けられている。３は押しボタン２を有するフロントパネル１が取り付けられる筐体、４は筐体３に収納して取り付けられた基板、５は基板４に垂直に実装され、押しボタン２で操作されるプッシュスイッチ、６および７は支持部２ｂとフロントパネル１および筺体３との隙間にそれぞれ配設されて、フロントパネル１および筐体３に一端が固着され、他端が自由である板バネで、板バネ６は支持部２ｂをフロントパネル１から離れる方向に付勢し、板バネ７は支持部２ｂをフロントパネル１に近づける方向に付勢するよう構成されている。すなわち両板バネ６および７は、押しボタン２の支持部２ｂを押圧把持してその変位を規制し、常時は支持部２ｂがフロントパネル１と略平行な中立位置に位置するように、支持部２ｂの先端を保持している。
【００１２】
次に動作について説明する。押しボタン２のボタン部２ａを板バネ７の付勢力に抗して押すと、従来例と同様に薄肉部２ｃが変形することにより操作部２ｅが変位して下がり、プッシュスイッチ５を押して操作する。ボタン部２ａから手を離すと、板バネ７と薄肉部２ｃの働きにより押しボタン２は元の位置に復帰する。
【００１３】
このように構成された押しボタン装置を有するフロントパネル１の筺体３への組立については従来例と同様に、押しボタン２を有するフロントパネル１を図５の矢印方向に移動させることにより行われる。この際、押しボタン２の操作部２ｅが筐体３に取り付けられた基板４に実装されたスイッチ５に当たっても、板バネ６が撓むとともに押しボタン２のヒンジとして機能する薄肉部２ｃにより押しボタン２の操作部２ｅが上方に変位しながら筐体３に組み込まれるため、組立時に操作部２ｅがスイッチ５を破壊することを防止できる。組立後は、押しボタン２のヒンジとして機能する薄肉部２ｃと板バネ６の働きにより、押しボタン２は図１の状態に復帰する。
【００１４】
また、この押しボタン装置においては、板バネ６および７が押しボタン２の変位を規制して、押しボタン２のヒンジとして機能する薄肉部２ｃの変形を矯正するので、フロントパネル１の透孔１ｂから飛び出している押しボタン２の意匠部を有するボタン部２ａの突出量を一定に保持する。
【００１５】
実施の形態２．
図２はこの発明の実施の形態２である押しボタン装置を示す側断面図である。図において、２は押しボタンで、フロントパネル１の透孔１ｂに挿通されて突出し前面に意匠部を有するボタン部２ａと、このボタン部２ａを上端近傍に有しフロントパネル１と略平行な支持部２ｂと、この支持部２ｂの下端に連設されヒンジとして機能する薄肉部２ｃと、この薄肉部２ｃの下端に連設され穴部を有するボス２ｄと、ボタン部２ａから所定距離離れた支持部２ｂの下端でボタン部２ａが設けられた面とは反対側の面から垂直に延出して形成された操作部２ｅと、ボタン部２ａの上方で、支持部２ｂのボタン部２ａが設けられた面を部分的に切り起こしてフロントパネル１側へ突出して設けられ、フロントパネル１に当接して支持部２ｂをフロントパネル１から離れる方向に付勢する弾性片２ｆとを一体成形して構成され、フロントパネル１のボス１ａの軸にボス２ｄの穴部を圧入することにより、フロントパネル１に取り付けられている。８は筺体３の支持部２ｂの先端部との対向面を部分的に切り起こして支持部２ｂ側へ突出して一体成形された弾性片で、支持部２ｂに当接してフロントパネル１へ近づける方向に付勢するよう構成されており、常時は弾性片２ｆの付勢力と均衡して、支持部２ｂがフロントパネル１と略平行な中立位置に位置するようになっている。
【００１６】
次に動作について説明する。押しボタン２のボタン部２ａを弾性片８の付勢力に抗して押すと、従来例と同様に薄肉部２ｃが変形することにより操作部２ｅが変位して下がり、プッシュスイッチ５を押して操作する。ボタン部２ａから手を離すと、弾性片８と薄肉部２ｃの働きにより押しボタン２は元の位置に復帰する。
【００１７】
このように構成された押しボタン装置を有するフロントパネル１の筺体３への組立については従来例と同様に、押しボタン２を有するフロントパネル１を図５の矢印方向に移動させることにより行われる。この際、押しボタン２の操作部２ｅが筐体３に取り付けられた基板４に実装されたスイッチ５に当たっても、弾性片２ｆが撓むとともに押しボタン２のヒンジとして機能する薄肉部２ｃにより押しボタン２の操作部２ｅが上方に変位しながら筐体３に組み込まれるため、組立時に操作部２ｅがスイッチ５を破壊することを防止できる。組立後は、押しボタン２のヒンジとして機能する薄肉部２ｃと弾性片２ｆの働きにより、押しボタン２は図２の状態に復帰する。
【００１８】
また、この押しボタン装置においては、弾性片８および２ｆが押しボタン２の変位を規制して、押しボタン２のヒンジとして機能する薄肉部２ｃの変形を矯正するので、フロントパネル１の透孔１ｂから飛び出している押しボタン２の意匠部を有するボタン部２ａの突出量を一定に保持する。
【００１９】
実施の形態３．
図３はこの発明の実施の形態３である押しボタン装置を示す側断面図である。図において、２は押しボタンで、フロントパネル１の透孔１ｂに挿通されて突出し前面に意匠部を有するボタン部２ａと、このボタン部２ａを上端近傍に有しフロントパネル１と略平行な支持部２ｂと、この支持部２ｂの下端に連設されヒンジとして機能する薄肉部２ｃと、この薄肉部２ｃの下端に連設され穴部を有するボス２ｄと、ボタン部２ａから所定距離離れた支持部２ｂの下端でボタン部２ａが設けられた面とは反対側の面から垂直に延出して形成された操作部２ｅと、ボタン部２ａの上方に、筺体３およびフロントパネル１側へそれぞれ突出して設けられた弾性片２ｇおよび２ｈとを一体成形して構成され、フロントパネル１のボス１ａの軸にボス２ｄの穴部を圧入することにより、フロントパネル１に取り付けられている。弾性片２ｇは筺体３に当接して支持部２ｂをフロントパネル１に近づける方向に付勢し、弾性片２ｈはフロントパネル１当接して支持部２ｂをフロントパネル１から離れる方向に付勢するように構成されている。すなわち両弾性片２ｇおよび２ｈは、押しボタン２の支持部２ｂを支持してその変位を規制し、常時は支持部２ｂがフロントパネル１と略平行な中立位置に位置するように、支持部２ｂの先端を支持している。
【００２０】
次に動作について説明する。押しボタン２のボタン部２ａを弾性片２ｇの付勢力に抗して押すと、従来例と同様に薄肉部２ｃが変形することにより操作部２ｅが変位して下がり、プッシュスイッチ５を押して操作する。ボタン部２ａから手を離すと、弾性片２ｇと薄肉部２ｃの働きにより押しボタン２は元の位置に復帰する。
【００２１】
このように構成された押しボタン装置を有するフロントパネル１の筺体３への組立については従来例と同様に、押しボタン２を有するフロントパネル１を図５の矢印方向に移動させることにより行われる。この際、押しボタン２の操作部２ｅが筐体３に取り付けられた基板４に実装されたスイッチ５に当たっても、弾性片２ｈが撓むとともに押しボタン２のヒンジとして機能する薄肉部２ｃにより押しボタン２の操作部２ｅが上方に変位しながら筐体３に組み込まれるため、組立時に操作部２ｅがスイッチ５を破壊することを防止できる。組立後は、押しボタン２のヒンジとして機能する薄肉部２ｃと弾性片２ｈの働きにより、押しボタン２は図３の状態に復帰する。
【００２２】
また、この押しボタン装置においては、弾性片２ｇおよび２ｈが押しボタン２の変位を規制して、押しボタン２のヒンジとして機能する薄肉部２ｃの変形を矯正するので、フロントパネル１の透孔１ｂから飛び出している押しボタン２の意匠部を有するボタン部２ａの突出量を一定に保持する。
【００２３】
なお、実施の形態２および３では、筐体３および支持部２ｂに弾性片を設けた例について示したが、一対の弾性片の一方をフロントパネル１に形成し、他方を筐体３または支持部２ｂのいずれかに形成しても同等の作用ならびに効果を得ることができる。
【００２４】
【発明の効果】
この発明に係る押しボタン装置によれば、基板とこの基板に対し垂直に配置されたプッシュスイッチを収納した筐体およびこの筐体の外側に基板に対し垂直に取り付けられ透孔を有するフロントパネルと、このフロントパネルと筐体との間にフロントパネルと略平行に設けられて一端に筐体の透孔に挿通されたボタン部を有し他端にヒンジ部を有する支持部との間に、支持部を支持して中立位置に保持する一対の弾性手段をそれぞれ設けたので、押しボタンの変形を矯正してフロントパネルからの突出量を一定に保持することができ、操作性や意匠価値を損なわない押しボタン装置を得ることができる。
【００２５】
また、一対の弾性手段を板バネで構成したので、支持部を中立位置に保持する力が正確に働くようになり、押しボタンの突出量をより確実に一定に保つことができる。
【００２６】
さらに、一対の弾性手段の一方をフロントパネルに、他方を筺体および支持部のいずれか一方に一体成形した弾性片で構成したので、簡単な構造で押しボタンの変形を矯正してフロントパネルからの突出量を一定に保持することができる。
また、弾性片の厚みを変化させることにより、押しボタンの操作における感触を向上させることができる。
【図面の簡単な説明】
【図１】この発明の実施の形態１の押しボタン装置を示す側断面図である。
【図２】この発明の実施の形態２の押しボタン装置を示す側断面図である。
【図３】この発明の実施の形態３の押しボタン装置を示す側断面図である。
【図４】従来の押しボタン装置の構成を示す側断面図である。
【図５】従来の押しボタン装置を有したフロントパネルの組立状態を示す側断面図である。
【符号の説明】
１：  フロントパネル    １ｂ：  透孔      ２：  押しボタン
２ａ：  ボタン部        ２ｂ：  支持部    ２ｃ：  薄肉部
２ｄ：  ボス            ２ｅ：  操作部    ２ｆ，２ｇ，２ｈ：  弾性片
３：  筐体              ４：  基板        ５：  スイッチ
６，７：  板バネ
【図１】
0003551587.tif 000002
【図２】
0003551587.tif 000003
【図３】
0003551587.tif 000004
【図４】
0003551587.tif 000005
【図５】
0003551587.tif 000006